(57)【要約】【課題】  複数の設定データを追加して読み込んだ際に、既に読み込んであるいずれの設定データも上書きされることなく追加できるようにする。【解決手段】  ＲＡＭ１−３にデータ領域とカレントメモリとが作成されており、音響信号処理部１−１０はカレントメモリ上のパラメータセットに基づいて信号処理を施している。データ領域に、パラメータセットからなる複数のＳデータと、ＳデータのリストであるＳリストが記憶されている。Ｓデータの各々は、ユニークな識別情報（SID）で特定され、各Ｓデータを特定するSIDを含むリスト情報がＳリストに記録されている。カレントメモリに記憶されているパラメータセットを保存する際に、新たなSIDを生成してこのSIDを含むリスト情報をＳリストに追加すると共に、カレントメモリ上のパラメータセットにSIDを付与して新たなＳデータとしてデータ領域に保存する。【選択図】  図１
2010226323.tif 000002
【特許請求の範囲】
【請求項１】
複数のパラメータからなるパラメータセットを記憶したカレントメモリと、
入力する音響信号に対し、前記カレントメモリのパラメータセットに基づく信号処理を施して出力する音響信号処理手段と、
前記パラメータセットの内の所定の範囲のパラメータが、スナップショットとして複数記憶されていると共に、前記各スナップショット毎に前記パラメータセットのどの範囲のパラメータから構成されているかを示すパラメータ構成情報が、前記各スナップショット毎に記録されているデータメモリと、
前記カレントメモリ上の前記パラメータセットを前記スナップショットとしてストアする場合に、当該スナップショットの前記パラメータ構成情報を、前記パラメータセットの全ての範囲のパラメータが記憶されていることを示す情報に更新すると共に、当該スナップショットを前記カレントメモリ上の前記パラメータセットにより上書きする制御手段と、
を備えることを特徴とする音響装置。
【請求項２】
前記制御手段は、
前記カレントメモリに記憶されている前記パラメータセットを、パラメータ範囲と前記スナップショットの一つが指定されて追加ペーストする指示がされた際に、指定されたスナップショットにおける前記パラメータ構成情報が、空のパラメータから構成されていることを示している場合は、当該パラメータ構成情報を前記パラメータ範囲のパラメータから構成されていることを示す情報に更新すると共に、前記パラメータ範囲のパラメータを当該スナップショットに上書きし、指定されたスナップショットにおける前記パラメータ構成情報が、パラメータセットの一部のパラメータから構成されていることを示している場合は、当該パラメータ構成情報と前記パラメータ範囲との論理和の範囲のパラメータから構成されていることを示す情報に更新すると共に、前記パラメータ範囲のパラメータを当該スナップショットに上書きし、指定されたスナップショットにおける前記パラメータ構成情報が、パラメータセットの全てのパラメータから構成されていることを示している場合は、前記パラメータ範囲のパラメータを当該スナップショットに上書きするようにしたことを特徴とする請求項１記載の音響装置。
【請求項３】
前記制御手段は、
前記カレントメモリに記憶されている前記パラメータセットを、パラメータ範囲と前記スナップショットの一つが指定されて完全ペーストする指示がされた場合に、指定されたスナップショットをクリアして、前記パラメータ範囲のパラメータにより上書きすると共に、当該スナップショットの前記パラメータ構成情報を、前記パラメータ範囲のパラメータから構成されていることを示す情報に更新するようにしたことを特徴とする請求項１記載の音響装置。
【請求項４】
前記パラメータセットは所定の範囲のパラメータとされる複数のパラメータブロックに分割されており、前記パラメータ構成情報は、前記スナップショットを構成しているか否かを示す前記パラメータブロック毎のフラグの状態情報とされていることを特徴とする請求項１記載の音響装置。
【発明の詳細な説明】
【技術分野】
【０００１】
この発明は、設定されたパラメータセットに従って音響信号処理を行う処理部を備える音響装置に関する。
【背景技術】
【０００２】
従来、音響信号処理を行う処理部を備える音響装置の一つとして、多数のマイクロホンあるいは電気・電子楽器などから出力されるオーディオ信号のレベルや周波数特性を調整してミキシングし、パワーアンプに送り出すコンサートホール等で使用されるディジタルミキサが知られている。ディジタルミキサを操作するオペレータは、楽器の演奏音やボーカルの各オーディオ信号の音量や音色を、ディジタルミキサにおける各種パネル操作子を操作することにより、演奏を最もふさわしく表現していると思われるよう調整している。この調整により、処理部には最適な音響信号処理を施すことのできる音響信号処理用のパラメータセットが設定されるようになる。ディジタルミキサは、入力信号系列として複数の入力チャンネルと該入力チャンネルから出力される信号をミキシングするバスと、ミキシングされた信号を出力する出力系列である出力チャンネルを備えている。各入力チャンネルはそれぞれ入力する信号の周波数特性やミキシングレベル等を制御して各ミキシングバスに出力し、各ミキシングバスはそれぞれ入力する信号をミキシングして対応する出力チャンネルに出力する。出力チャンネルからの出力は増幅されてスピーカ等から放音される。
【０００３】
従来のディジタルミキサにおいては、パネルに設けられているフェーダ、ノブやスイッチ等の操作子により設定されたチャンネル毎の信号処理用のパラメータからなるパラメータセットを、シーンとしてシーンメモリにストアすることができる。シーンの各々にはシーン番号が付与されてストアされ、シーン番号を指定してリコール操作することにより、指定されたシーン番号のシーンが読み出され、そのシーンに応じた設定状態がディジタルミキサで再現されるようになる。これにより、一度設定した会議室、宴会場、ミニシアターや多目的ホールまでの様々なシーンを再現することができるようになる。カレントメモリ上のパラメータセットを新規のシーンとしてシーンメモリにストアする際には、シーン番号の内の空いているシーン番号を指定してストアする。これにより、指定したシーン番号の領域にシーンが記憶されるようになり、シーンメモリにストアされたシーンは、それぞれシーン番号で特定されるようになる。そこで、シーンメモリからシーンをリコールする場合は、リコールしたいシーンのシーン番号を特定して指定する。これにより、リコールしたいシーンがシーンメモリから読み出されて、読み出されたシーンのパラメータセットがカレントメモリ上に設定されるようになる。
【先行技術文献】
【特許文献】
【０００４】
【特許文献１】特開２００４−５６３３２号公報
【発明の概要】
【発明が解決しようとする課題】
【０００５】
従来のディジタルミキサにおいては、カレントメモリのパラメータセットの所望の一部のパラメータを、シーンメモリの所望の既存のシーンへ追記することができるようにされている。このパラメータの追記では、既にシーンが記憶されているシーン番号に対してのみ、パラメータのペーストができるようになっていた。そして、そのシーン番号に、未だシーンが記憶されていなければ、パラメータをペーストすることはできなかった。また、従来のディジタルミキサではカレントのパラメータセットの一部を指定して、シーンにストア（範囲指定ストア）することができる機種もあったが、従来の範囲指定ストアでは、ユーザがシーンをストアしたりリコールしたりするときに、そのシーンの制御範囲を絶えず認識していなければならなかった。
そこで、本発明は、パラメータセットをそれぞれ記憶可能な複数のデータ領域のそれぞれに、パラメータセットのうちのどの範囲のパラメータが記憶されているかが容易に分かる音響装置を提供することを目的としている。
【課題を解決するための手段】
【０００６】
上記目的を達成するために、本発明の音響装置は、複数のパラメータからなるパラメータセットを記憶したカレントメモリと、入力する音響信号に対し、前記カレントメモリのパラメータセットに基づく信号処理を施して出力する音響信号処理手段と、前記パラメータセットの内の所定の範囲のパラメータが、スナップショットとして複数記憶されていると共に、前記各スナップショット毎に前記パラメータセットのどの範囲のパラメータから構成されているかを示すパラメータ構成情報が、前記各スナップショット毎に記録されているデータメモリと、前記カレントメモリ上の前記パラメータセットを前記スナップショットとしてストアする場合に、当該スナップショットの前記パラメータ構成情報を、前記パラメータセットの全ての範囲のパラメータが記憶されていることを示す情報に更新すると共に、当該スナップショットを前記カレントメモリ上の前記パラメータセットにより上書きする制御手段とを備えることを最も主要な特徴としている。
【発明の効果】
【０００７】
本発明によれば、パラメータ構成情報により、スナップショット毎に構成されているパラメータの範囲が分かるようになる。そして、空のパラメータから構成されるスナップショットのデータ領域や一部のパラメータの範囲から構成されているスナップショットのデータ領域にパラメータセットの内の所定の範囲のパラメータをペーストしたり、一部のパラメータの範囲から構成されているスナップショットをリコールすることができるようになる。
【図面の簡単な説明】
【０００８】
【図１】本発明の音響装置の実施例であるディジタルミキサにパーソナルコンピュータを接続した構成を示すブロック図である。
【図２】本発明にかかるディジタルミキサの信号処理部で行われるミキシング処理部および波形Ｉ／Ｏの処理アルゴリズムを等価的に示す機能ブロック図である。
【図３】本発明にかかるディジタルミキサのワークエリアに格納されているＳリストのデータ構造を示す図である。
【図４】本発明にかかるディジタルミキサのワークエリアに設定されているカレントメモリのデータ構造を示す図である。
【図５】本発明にかかるディジタルミキサにおいて実行されるパラメータ変更処理のフローチャートである。
【図６】本発明にかかるディジタルミキサにおいて実行されるストア処理のフローチャートである。
【図７】本発明にかかるディジタルミキサにおいて実行されるスナップショット名変更処理のフローチャートである。
【図８】本発明にかかるディジタルミキサにおいて実行される追加ペースト処理のフローチャートである。
【図９】本発明にかかるディジタルミキサにおいて実行される完全ペースト処理のフローチャートである。
【図１０】本発明にかかるディジタルミキサにおいて実行されるリコール処理のフローチャートである。
【発明を実施するための形態】
【０００９】
本発明の音響装置の実施例であるディジタルミキサ１の構成を示すブロック図を図１に示す。
図１に示す本発明の実施例に係るディジタルミキサ１において、ディジタルミキサ１の全体の動作を制御すると共に、スイッチやノブ等の操作子の操作に応じた操作信号を生成しているＣＰＵ（Central Processing Unit）１−１と、ＣＰＵ１−１が実行するミキシング制御プログラム等の動作ソフトウェアが格納されている書き換え可能な不揮発性のフラッシュメモリ１−２と、ＣＰＵ１−１のワークエリアや各種データ等が記憶されるＲＡＭ（Random Access Memory）１−３を備えている。このように、フラッシュメモリ１−２に動作ソフトウェアを格納することにより、フラッシュメモリ１−２内の動作ソフトウェアを書き換えることで、動作ソフトウェアをバージョンアップすることができる。また、ＵＳＢメモリやＳＤメモリ等の外部記憶媒体は、入出力インタフェースである外部記憶Ｉ／Ｏ１−４を介してディジタルミキサ１に接続され、ＲＡＭ１−３のワークエリア等に格納されているデータを外部記憶媒体に保存することができる。また、通信用のインタフェースである通信Ｉ／Ｏ１−５には通信路が接続され、通信路にはディジタルミキサ１を制御可能なパーソナルコンピュータ等を接続することができる。
【００１０】
表示器１−６はディジタルミキサ１のパネルに設けられており、液晶等のディスプレイとマトリクス・スイッチ等を組み合わせたタッチスクリーンとされている。表示器１−６に表示されている操作子アイコンを押す操作を行うことでパラメータ値の変更やオン／オフを切り換えることができる。電動フェーダ１−７は、入力チャンネルあるいは出力チャンネルの音響信号のレベルを調整するフェーダであり、手動および電動によりレベル調整することができる。操作子１−８は、選択されたチャンネル等のパラメータを変更するスイッチやノブの操作子や、パネルのチャンネルストリップに備えられるフェーダ等の操作子である。ディジタルミキサ１の全ての入力と全ての出力は波形Ｉ／Ｏ（波形データインタフェース）１−９により行われる。この波形Ｉ／Ｏ１−９は、アナログ信号が入力される複数のＡ入力ポートと、アナログ信号が出力される複数のＡ出力ポートと、外部からディジタル信号を入力すると共に外部へディジタル信号を出力する双方向とされている複数のＤ入力／Ｄ出力ポートとを備えている。
【００１１】
また、信号処理部（ＤＳＰ）１−１０は多数のＤＳＰ（Digital Signal Processor）を用いて構成されており、ＣＰＵ１−１の制御の元でミキシング処理やエフェクト処理などを行っている。ＲＡＭ１−３には、このミキシング処理やエフェクト処理を制御するための各種パラメータの現在値がワークエリアのカレントメモリ上に格納されており、ＣＰＵ１−１は、スイッチやノブ等の操作子の操作に応じてカレントメモリ上のパラメータの現在値が変更されるとともに、該パラメータの現在値に基づいて、信号処理部１−１０が行うミキシング処理やエフェクト処理の係数やアルゴリズムが制御される。この信号処理部１−１０においてミキシング処理されたミキシング信号をレコーダに供給して記録することができると共に、レコーダから再生したミキシング信号を信号処理部１−１０へ供給することができる。各部は通信バス１−１１に接続されている。
【００１２】
次に、本発明にかかる図１に示す構成のディジタルミキサ１の信号処理部１−１０と波形Ｉ／Ｏ１−９の処理アルゴリズムを等価的に示す機能ブロック図を図２に示す。
図２において、複数のアナログ入力ポート（Ａ入力）３０に入力されたアナログ信号は、波形Ｉ／Ｏ１−９に内蔵されているＡＤ変換器によりディジタル信号に変換されて入力パッチ３２に入力される。また、複数のディジタル入力ポート（Ｄ入力）３１に入力されたディジタル信号は、そのまま入力パッチ３２に入力される。入力パッチ３２では、信号の入力元である複数の入力ポートの何れか１つの入力ポートを、例えば４８チャンネルとされる複数の入力ｃｈ部３３の各入力チャンネル毎に選択的にパッチ（結線）することができ、各入力チャンネルには、入力パッチ３２でパッチされた入力ポートからの信号が供給される。
【００１３】
入力ｃｈ部３３における各入力チャンネルには、アッテネータ、イコライザ、コンプレッサやゲート、フェーダと、ステレオ（ＳＴ）バス３４やミキシング（ＭＩＸ）バス３５への送り出しレベルを調整するセンド調整部が備えられており、これらの入力チャンネルにおいて、周波数バランスやレベル制御およびＳＴバス３４やＭＩＸバス３５への送出レベルが調整される。ＭＩＸバス３５は、例えば１６本（MIX1〜16）設けられている。入力ｃｈ部３３から出力される４８チャンネルのディジタル信号は、それぞれＳＴバス３４およびＭＩＸバス３５の１ないし複数に選択的に出力される。ＳＴバス３４においては、４８入力チャンネルのうちの任意の入力チャンネルから選択的に入力された１ないし複数のディジタル信号がミキシングされて、ステレオチャンネルのミキシング出力がＳＴ出力ｃｈ部３６に出力される。ＭＩＸバス３５においては、１６本の各バスにおいて、４８入力チャンネルのうちの任意の入力チャンネルから選択的に入力された１ないし複数のディジタル信号がミキシングされて、合計１６チャンネルのミキシング出力がＭＩＸ出力ｃｈ部３７に出力される。これにより、ステレオ出力と、１６通りにミキシングされた１６チャンネルのミキシング出力とを得ることができる。
【００１４】
ＳＴ出力ｃｈ部３６およびＭＩＸ出力ｃｈ部３７における各出力チャンネルには、アッテネータ、イコライザ、コンプレッサ、フェーダが備えられており、これらの出力チャンネルにおいて、周波数バランスやレベル調整および出力パッチ３８へ送出されるレベルが制御される。出力パッチ３８では、信号の入力元であるＳＴ出力ｃｈ部３６およびＭＩＸ出力ｃｈ部３７からのステレオ信号および１６チャンネルのミキシング信号の何れか１つのチャンネルを、アナログ出力ポート部（Ａ出力）３９やディジタル出力ポート部（Ｄ出力）４０の各出力ポート毎に選択的にパッチ（結線）することができ、各出力ポートには、出力パッチ３８でパッチされたチャンネルからの信号が供給される。
また、複数のアナログ出力ポートを備えるアナログ出力ポート部（Ａ出力）３９へ供給されたディジタル出力信号は、波形Ｉ／Ｏ１−９に内蔵されているＤＡ変換器によりアナログ出力信号に変換されてアナログ出力ポートから出力される。そして、アナログ出力ポート部（Ａ出力）３９から出力されるアナログ出力信号は、増幅されてメインのスピーカから放音される。さらに、このアナログ出力信号は出演者が耳に装着するインイヤーモニタに供給されたり、その出演者の近傍に置かれたステージモニタスピーカで再生される。また、複数のディジタル出力ポートを備えるディジタル出力ポート部（Ｄ出力）４０から出力されるディジタルオーディオ信号は、レコーダや外部接続されたＤＡＴ等に供給されてディジタル録音することができるようにされている。
【００１５】
ディジタルミキサ１におけるＤＳＰ１−１０は、パネルに設けられているフェーダ、ノブやスイッチ等の操作子１−８により入力チャンネルや出力チャンネルに設定された信号処理用のパラメータからなるパラメータセットに応じた信号処理を行う。すなわち、ディジタルミキサ１からの音響出力を放音した際に、パラメータセットに応じた音響の設定状態が作り出されるようになる。本発明においては、作り出される音響の設定状態をスナップショット（Snapshot）と呼ぶものとする。スナップショットは、従来のディジタルミキサにおいて用いられているシーンに相当し、スナップショットを構成するパラメータはディジタルミキサ１の信号処理用の設定データでもある。スナップショットを特定してリコール操作することにより、特定されたスナップショットを構成するパラメータが読み出され、カレントメモリ上に設定されることにより、そのスナップショットの音響の設定状態がディジタルミキサ１で再現されるようになる。これにより、一度設定した会議室、宴会場、ミニシアターや多目的ホールまでの様々なスナップショットを再現することができるようになる。
【００１６】
ＲＡＭ１−３上のワークエリアにスナップショットのデータを保存するためのデータ領域として、Ｓリスト（Snapshotリスト）のデータが格納されるデータ領域が作成される。Ｓリストは、複数のスナップショットを記録したリストとされ、記録された全てのスナップショットの実データが格納されている。Ｓリストのデータ構造が図３に示されている。図３に示すように、ＳリストにはＳリストのファイル名（SLFN）が付けられており、ヘッダと一つのスナップショットの情報および実データが記録されたスナップショットデータ（SD）から構成されている。ヘッダには、Ｓリスト名（SLN）が格納されている。Ｓリストにおける各SDにはSnapshot番号が付されており、そのSDのSnapshot名（SN）と、スナップショットがパラメータセットのどの範囲のパラメータから構成されているかを示す後述するパラメータ構成情報（SPC）と、スナップショットの実データであるパラメータ本体（SPD）と、その他のデータ（OD）ら構成されている。例えば、Snapshot番号が２番のSD_02のスナップショットデータにおけるSnapshot名（SN）は「SN_02」とされ、パラメータ構成情報はSPC_02とされ、パラメータ本体はSPD_02とされ、その他のデータであるODはOD_02とされている。図示する例においては、SD_01，SD_02，SD_03，SD_04・・・SD_Nsの複数のスナップショットデータが記録されており、各SDはデータが未記憶であってもそのデータ領域が作成されている。なお、ODは予備のデータとされている。
【００１７】
さらに、ＲＡＭ１−３上のワークメモリにはカレントメモリ領域が作成されており、このカレントメモリのデータ構造が図４に示されている。図４に示すように、ディジタルミキサ１に現在設定されている使用中のパラメータセットとその他のデータがカレントメモリに記憶されている。カレントメモリに格納されているパラメータセットは、複数のパラメータブロックに分けることができる。例えば、入力チャンネル１−８のパラメータブロックとか、入力チャンネル９−１６のパラメータブロックとか、エフェクトのパラメータブロックとかに分けることができる。そこで、上記パラメータセットをチャンネルを単位としたりパラメータ種類を単位として複数のパラメータブロックに分割しておき、上記スナップショットのSPCを、分割されたパラメータブロック毎に設定されるフラグの状態情報で表すことができる。すなわち、フラグが「１」に設定されているパラメータブロックのパラメータから、そのスナップショットのパラメータが構成されていることを表すことができる。このようにすると、パラメータセットの全ての範囲のパラメータから構成されているスナップショットのSPCは、各パラメータブロックのフラグが全て「１」となる（以下、”Full”という）。また、空のパラメータから構成されているスナップショットのSPCは、各パラメータブロックのフラグが全て「０」となる（以下、”Null”という）。そして、パラメータセットの一部の範囲のパラメータから構成されているスナップショットのSPCは、一部の範囲に対応するパラメータブロックのフラグが「１」となる（以下、”Partial”という）。ここで、SPCが”Full”とされたスナップショットはパラメータセットの全てのパラメータを備えることから完全スナップショットと呼び、SPCが”Null”あるいはあるいは”Partial”のスナップショットはパラメータセットの全てのパラメータを備えていないことから不完全スナップショットと呼ぶことにする。
【００１８】
以下に、フローチャートを説明することにより本発明にかかるディジタルミキサ１の動作を説明する。
まず、ディジタルミキサ１のパネルに設けられている電動フェーダ１−７やノブ等のパラメータを変更できる操作子１−８を操作した時に実行されるパラメータ変更処理のフローチャートを図５に示す。
パラメータを変更できる操作子が操作されると、パラメータ変更処理がスタートされてステップＳ１０にて操作子により変更された操作値がレジスタに操作値valとして格納される。次いで、ステップＳ１１にてカレントメモリ上の現在使用しているパラメータセットにおける、操作された操作子に割り当てられているパラメータの値が、操作値valに応じて変更される。ステップＳ１１の処理が終了するとパラメータ変更処理は終了する。このように、操作子を操作することにより所望のスナップショットに調整することができる。この際に、変更されたスナップショットのパラメータセットは、カレントメモリに格納されている。
【００１９】
次に、Ｓリストのｎ番目の番号が指定されてSnapshotストア操作がされた際に実行されるストア処理のフローチャートを図６に示す。
Ｓリストのｎ番目の番号が指定されてSnapshotストア操作がされるとストア処理がスタートされて、ステップＳ２０にて”Full”を示すSPCがｎ番目のSD_nのSPCとして書き込まれる。次いで、ステップＳ２１にてカレントメモリ上のパラメータセットがSPD_nとしてSD_nに書き込まれる。ステップＳ２１の処理が終了するとストア処理は終了する。このように、ストア処理を行うと、カレントメモリ上のパラメータセットからなる新規の完全スナップショットがＳリストに保存されるようになる。
次に、Ｓリストのｎ番目でSnapshot名の変更操作がされた際に実行されるスナップショット名変更処理のフローチャートを図７に示す。
Ｓリストのｎ番目でSnapshot名の変更操作がされるとスナップショット名変更処理がスタートされて、ステップＳ３０にて変更されたSnapshot名がｎ番目のSD_nのSNとして書き込まれる。ステップＳ３０の処理が終了するとスナップショット名変更処理は終了する。このように、スナップショット名は必要とする際にいつでも任意の名称に変更することができる。
【００２０】
次に、Ｓリストのｎ番目でカレントメモリに記憶されているパラメータセットにおけるパラメータ範囲（Parameter Scope：PS）が指定されて、追加ペースト指示がされた際に実行される追加ペースト処理のフローチャートを図８に示す。
Ｓリストのｎ番目でPSが指定されて、追加ペースト指示がされると追加ペースト処理がスタートされて、ステップＳ４０にてｎ番目のSD_nのSPCが”Full””Null””Partial”のいずれの状態となっているかが判断される。ここで、SD_nのSPCが”Full”と判断されると、ｎ番目のスナップショットはパラメータセットの全ての範囲のパラメータから構成されていることから、ステップＳ４２に進んでカレントメモリに記憶されているパラメータセットからPSが示す範囲のパラメータが抽出されて、SD_nのSPDに上書きされる。これにより、ｎ番目のスナップショットはパラメータセットの内のPSの範囲のパラメータだけが書き換えられ、PSの範囲外のパラメータはペースト前と同じパラメータ値のままのスナップショットとなる。
【００２１】
また、ステップＳ４０にてｎ番目のSD_nのSPCが”Partial”と判断された場合は、ｎ番目のスナップショットはパラメータセットの一部の範囲のパラメータから構成されていることから、ステップＳ４１に進みSD_nのSPCとPSとの論理和が取られることによりパラメータ範囲が算出され、このパラメータ範囲をSD_nのSPCとするように、SD_nのSPCが更新される。次いで、ステップＳ４２に進んでカレントメモリに記憶されているパラメータセットからPSが示す範囲のパラメータが抽出されて、SD_nのSPDに上書きされる。これにより、ｎ番目のスナップショットはパラメータセットにおけるSD_nのSPCとPSとの論理和の範囲からなるパラメータの内のPSの範囲のパラメータだけが書き換えられ、PSの範囲外のパラメータはペースト前と同じパラメータ値のままのスナップショットとなる。
さらに、ステップＳ４０にてSD_nのSPCが”Null”と判断されると、ｎ番目のスナップショットは空のパラメータから構成されていることから、ステップＳ４３に進みPSをSD_nのSPCとするように、SD_nのSPCが更新される。次いで、ステップＳ４２に進んでカレントメモリに記憶されているパラメータセットからPSが示す範囲のパラメータが抽出されて、SD_nのSPDに上書きされる。これにより、ｎ番目のスナップショットはパラメータセットの内のPSの範囲のパラメータと同じパラメータだけからなるスナップショットとなる。ステップＳ４２の処理が終了すると追加ペースト処理は終了する。
【００２２】
次に、Ｓリストのｎ番目でカレントメモリに記憶されているパラメータセットにおけるパラメータ範囲（PS）が指定されて、完全ペースト指示がされた際に実行される完全ペースト処理のフローチャートを図９に示す。
Ｓリストのｎ番目でPSが指定されて、完全ペースト指示がされると完全ペースト処理がスタートされて、ステップＳ５０にてｎ番目のSD_nのSPDがクリアされ空のパラメータ本体とされる。次いで、PSをSD_nのSPCとするように、SD_nのSPCが更新される。次いで、ステップＳ５２に進んでカレントメモリに記憶されているパラメータセットからPSが示す範囲のパラメータが抽出されて、SD_nのSPDに上書きされる。これにより、ｎ番目のスナップショットはペースト前のSPCにかかわらず、パラメータセットの内のPSの範囲のパラメータだけからなるスナップショットとなる。ステップＳ５２の処理が終了すると完全ペースト処理は終了する。
【００２３】
上記した追加ペースト処理および完全ペースト処理は何れも、空のパラメータからなるスナップショットをペースト対象として実行することができ、その場合、完全ペーストか追加ペーストかに関わらず、指定したパラメータ範囲（PS）と同じパラメータだけからなるSPCが”Partial”の新規なスナップショットが作成される。また、不完全スナップショットにパラメータ範囲（PS）を指定して追加ペーストを実行した場合には、次の２つのケースとなる。
（１）不完全スナップショットにPSを指定して追加することにより、パラメータセットの全パラメータが揃い、完全スナップショットとなる。
（２）不完全スナップショットにPSを指定して追加しても、パラメータセットの全パラメータが揃わず、不完全スナップショットのままとなる。
【００２４】
なお、表示器１−６に各スナップショット関連の表示を行うとき、対象となっているスナップショットが完全スナップショットと不完全スナップショットの何れであるかが、判別できるように表示している。例えば、
（１）Snapshot名と共に、完全／不完全スナップショットに応じて異なる図形や文字を表示する。
（２）Snapshot名の文字色、文字スタイル（ボールド、下線、斜体など）、背景色などを異ならせる。
また、不完全スナップショットについては、Snapshot名とともに、パラメータセットのうちの何れの範囲のパラメータを含むかを表示するようにしてもよい。
【産業上の利用可能性】
【００２５】
以上説明した本発明においては、データが未記憶のスナップショット（SPCが”Null”）であっても、そのスナップショットのデータ領域は作成されてスナップショットの番号が付与されていることから、パラメータ範囲を指定してパラメータをペーストすることができるようになる。そして、本発明においては、ユーザが、スナップショットのパラメータの範囲を気にしなければならないのは、ペーストを実行するときだけであり、ストアを実行するときは、スナップショットのパラメータの範囲を気にする必要がない。これは、多くの場合、完全スナップショットによって、ユーザの目的を達することができるという思想が前提にあることから、気楽に操作できるユーザインタフェースとなる。
また、本発明は、ディジタルミキサに限らずエフェクタ、デジタルアンプ等の音響信号処理を行うＤＳＰを備える音響装置に適用することができる。
【符号の説明】
【００２６】
１  ディジタルミキサ、１−１  ＣＰＵ、１−２  フラッシュメモリ、１−３  ＲＡＭ、１−４  外部記憶Ｉ／Ｏ、１−５  通信Ｉ／Ｏ、１−６  表示器、１−７  電動フェーダ、１−８  操作子、１−９  波形Ｉ／Ｏ、１−１０  信号処理部、１−１１  通信バス、３０  アナログ入力ポート、３１  ディジタル出力ポート、３２  入力パッチ、３３  入力ｃｈ部、３４  ステレオバス、３５  ミキシングバス、３６  ＳＴ出力ｃｈ部、３７  ＭＩＸ出力ｃｈ部、３８  出力パッチ、３９  アナログ出力ポート部、４０  ディジタル出力ポート部
【図１】
2010226323.tif 000003
【図２】
2010226323.tif 000004
【図３】
2010226323.tif 000005
【図４】
2010226323.tif 000006
【図５】
2010226323.tif 000007
【図６】
2010226323.tif 000008
【図７】
2010226323.tif 000009
【図８】
2010226323.tif 000010
【図９】
2010226323.tif 000011
【図１０】
2010226323.tif 000012